(57)【要約】【課題】半閉まり不良やロック潰れ不良を防止しつつリテーナ部をリテーナ嵌合部内に係止嵌合できるリテーナ嵌合装置を提供する。【解決手段】このリテーナ嵌合装置１では、嵌挿口５ｃからコネクタ嵌挿部５内にコネクタ３のコネクタハウジング５ａが嵌挿されることで、嵌挿口５ｃの縁面によりコネクタ３のリテーナ部３ｃがヒンジ軸Ｑ周りに回動されてリテーナ嵌合部３ｄ上に配置され、この状態で第１押圧部７ｃによりリテーナ部３ｃがヒンジ軸Ｑ側に押し込まれ、この状態で第２押圧部７ｂによりリテーナ部３ｃがリテーナ嵌合部３ｄ内に押し込まれ、この状態でコネクタ嵌挿部５が嵌挿方向に沿って後退することでコネクタハウジング３ａがリテーナ部３ｃに対して相対的に嵌挿方向に沿って前進し、この前進によりリテーナ部３ｃの後面３ｇの係止部３ｈがリテーナ嵌合部３ｄの内側の被係止部３ｉに係止される。【選択図】図４
2008166012.tif 000002
【特許請求の範囲】
【請求項１】
コネクタハウジングの側面にヒンジ式のリテーナ部およびリテーナ嵌合部が形成されたコネクタに対し、前記リテーナ部を前記リテーナ嵌合部に係止嵌合させるリテーナ嵌合装置であって、
前記コネクタハウジングが嵌挿可能な嵌挿凹部を有し、前記嵌挿方向に沿って後退可能に配置されたコネクタ嵌挿部と、
前記コネクタ嵌挿部に嵌挿された前記コネクタの側面側においてコネクタ側に可動可能に配置され、その可動により前記リテーナ部の後面に押し当たって前記リテーナ部をヒンジ軸側に押し込む第１押圧部と、
前記コネクタ嵌挿部に嵌挿された前記コネクタの側面側においてコネクタ側に可動可能に配置され、その可動により前記リテーナ部の上面を押圧して前記リテーナ部を前記リテーナ嵌合部内に押し込む第２押圧部と、を備え、
前記コネクタ嵌挿部の嵌挿口から前記嵌挿凹部内に前記コネクタの前記コネクタハウジングが嵌挿されることで、前記嵌挿口の縁面により前記コネクタの前記リテーナ部がヒンジ軸周りに回動されて前記リテーナ嵌合部上に配置され、この状態で前記第１押圧部により前記リテーナ部がヒンジ軸側に押し込まれ、この状態で前記第２押圧部により前記リテーナ部が前記リテーナ嵌合部内に押し込まれ、この状態で前記コネクタ嵌挿部が前記嵌挿方向に沿って後退することで前記コネクタハウジングが前記リテーナ部に対して相対的に前記嵌挿方向に沿って前進し、この前進により前記リテーナ部の後面に設けられた係止部が前記リテーナ嵌合部の内側に設けられた被係止部に係止されることを特徴とするリテーナ嵌合装置。
【請求項２】
共通支持部上に、前記第２押圧部が固設されると共に、前記第２押圧部よりも突出する様に前記第１押圧部が弾性部材を介して配設され、
前記共通支持部がコネクタハウジング側に可動されることで、前記第１押圧部が前記リテーナ部をヒンジ軸側に押し込みつつ前記コネクタハウジングに当接し、更に前記共通支持部がコネクタハウジング側に可動されることで、前記弾性部材が押縮されると共に前記第２押圧部がコネクタハウジング側に更に可動して前記リテーナ部を前記リテーナ嵌合部内に押し込むことを特徴とする請求項１に記載のリテーナ嵌合装置。
【請求項３】
前記コネクタハウジングの両側面に前記リテーナ部および前記リテーナ嵌合部が形成されている場合において、前記第１押圧部および前記第２押圧部は、前記コネクタハウジングの両側面に配置されることを特徴とする請求項１または請求項２に記載のリテーナ嵌合装置。
【発明の詳細な説明】
【技術分野】
【０００１】
本発明は、コネクタハウジングの側面にヒンジ式のリテーナ部およびリテーナ嵌合部が形成されたコネクタに対し、前記リテーナ部を前記リテーナ嵌合部に係止嵌合させる技術に関する。
【背景技術】
【０００２】
コネクタ３のなかには、例えば図２および図１０の様に、コネクタハウジング３ａの側面にヒンジ部３ｅを介したリテーナ部３ｃおよびリテーナ嵌合部３ｄ（図１０）が形成されたものがある。この様なコネクタ３では、そのリテーナ部３ｃをリテーナ嵌合部３ｄに係止嵌合する作業が必要である。
【０００３】
従来では、その係止嵌合作業は、以下の様に手作業で行われていた。即ち図１０の様に、コネクタハウジング３ａを手で持って、リテーナ部３ｃとコネクタハウジング３ａとの横幅方向（図１０の紙面垂直方向の幅）の相対的な位置合わせを行う。そして親指Ｐをリテーナ部３ｃの後面３ｇに当ててリテーナ部３ｃを前傾（コネクタ３の前後方向を基準にコネクタ側に例えば約１５度傾斜した姿勢）に維持する。
【０００４】
そして親指Ｐでリテーナ部３ｃを前傾方向（ヒンジ部３ｅの回動軸Ｑ側）に押し込み（図１１）、更に親指Ｐでリテーナ部３ｃの上面３ｊを押圧してリテーナ部３ｃをリテーナ嵌合部３ｄ内に押し込む（図１２）。これにより、リテーナ部３ｃの後面３ｇとリテーナ嵌合部３ｄとの間に間隔が確保された状態で（即ちリテーナ部３ｃの後面３ｇに形成された係止突起３ｈがリテーナ嵌合部３ｄの外側周縁３ｍに引っ掛かること無く）、リテーナ部３ｃがリテーナ嵌合部３ｄ内に嵌合される。
【０００５】
そして親指Ｐをリテーナ部３ｃから離すと、リテーナ部３ｃがヒンジ部３ｅの弾性復帰作用により後側に押し戻されて、リテーナ部３ｃの後面３ｇの係止突起３ｈがリテーナ嵌合部３ｄの内側の被係止部３ｉに係止し、これによりリテーナ部３ｃがリテーナ嵌合部３ｄ内に係止嵌合される。リテーナ部３ｃはコネクタハウジング３ａの両側面に（即ち計２個）形成されているので、１つのコネクタ３に対して上記の係止嵌合作業を２回行う必要がある。
【発明の開示】
【発明が解決しようとする課題】
【０００６】
しかしながら、上記の人手による係止嵌合作業では、リテーナ部３ｃをリテーナ嵌合部３ｄ内に最後まで十分に押し込めない場合があり、その場合は不良品（半閉まり不良）になる。
【０００７】
また、リテーナ部３ｃが前傾方向（ヒンジ部３ｅの回動軸Ｑ側）に十分に押し込まれていない状態でリテーナ嵌合部３ｄ内に押し込まれると、リテーナ部３ｃの係止突起３ｈがリテーナ嵌合部３ｄの外側周縁３ｍ（図１２）に引っ掛かって潰れる場合があり、その場合も不良品（ロック潰れ不良）になる。
【０００８】
また手作業だと、両側のリテーナ部３ｃを１つずつリテーナ嵌合部３ｄに嵌め込まざる得ないので、１つのコネクタ３を仕上げるのに時間が掛かるという欠点がある。
【０００９】
そこで、この発明の課題は、第１に、半閉まり不良やロック潰れ不良を防止しつつリテーナ部をリテーナ嵌合部内に係止嵌合できるリテーナ嵌合装置を提供することにある。また第２に、コネクタハウジングの両側面にリテーナ部が形成されている場合において両側のリテーナ部を同時にリテーナ嵌合部に係止嵌合できるリテーナ嵌合装置を提供することにある。
【課題を解決するための手段】
【００１０】
上記課題を解決する為に、本願の第１の発明は、コネクタハウジングの側面にヒンジ式のリテーナ部およびリテーナ嵌合部が形成されたコネクタに対し、前記リテーナ部を前記リテーナ嵌合部に係止嵌合させるリテーナ嵌合装置であって、前記コネクタハウジングが嵌挿可能な嵌挿凹部を有し、前記嵌挿方向に沿って後退可能に配置されたコネクタ嵌挿部と、前記コネクタ嵌挿部に嵌挿された前記コネクタの側面側においてコネクタ側に可動可能に配置され、その可動により前記リテーナ部の後面に押し当たって前記リテーナ部をヒンジ軸側に押し込む第１押圧部と、前記コネクタ嵌挿部に嵌挿された前記コネクタの側面側においてコネクタ側に可動可能に配置され、その可動により前記リテーナ部の上面を押圧して前記リテーナ部を前記リテーナ嵌合部内に押し込む第２押圧部と、を備え、前記コネクタ嵌挿部の嵌挿口から前記嵌挿凹部内に前記コネクタの前記コネクタハウジングが嵌挿されることで、前記嵌挿口の縁面により前記コネクタの前記リテーナ部がヒンジ軸周りに回動されて前記リテーナ嵌合部上に配置され、この状態で前記第１押圧部により前記リテーナ部がヒンジ軸側に押し込まれ、この状態で前記第２押圧部により前記リテーナ部が前記リテーナ嵌合部内に押し込まれ、この状態で前記コネクタ嵌挿部が前記嵌挿方向に沿って後退することで前記コネクタハウジングが前記リテーナ部に対して相対的に前記嵌挿方向に沿って前進し、この前進により前記リテーナ部の後面に設けられた係止部が前記リテーナ嵌合部の内側に設けられた被係止部に係止されるものである。
【００１１】
本願の第２の発明は、共通支持部上に、前記第２押圧部が固設されると共に、前記第２押圧部よりも突出する様に前記第１押圧部が弾性部材を介して配設され、前記共通支持部がコネクタハウジング側に可動されることで、前記第１押圧部が前記リテーナ部をヒンジ軸側に押し込みつつ前記コネクタハウジングに当接し、更に前記共通支持部がコネクタハウジング側に可動されることで、前記弾性部材が押縮されると共に前記第２押圧部がコネクタハウジング側に更に可動して前記リテーナ部を前記リテーナ嵌合部内に押し込むものである。
【００１２】
本願の第３の発明は、前記コネクタハウジングの両側面に前記リテーナ部および前記リテーナ嵌合部が形成されている場合において、前記第１押圧部および前記第２押圧部は、前記コネクタハウジングの両側面に配置されるものである。
【発明の効果】
【００１３】
請求項１に記載の発明によれば、第１押圧部によりリテーナ部がヒンジ軸側に押し込まれるので、リテーナ部がリテーナ嵌合部内に押し込まれる際に、リテーナ部の後面とリテーナ嵌合部との間に間隔を確保でき、これにより、リテーナ部の後面の係止部がリテーナ嵌合部の外側周縁に引っ掛けることを防止して、リテーナ部をリテーナ嵌合部内に嵌合できる（即ちロック潰れ不良を防止できる）。
【００１４】
また第２押圧部によりリテーナ部がリテーナ嵌合部内に押し込まれた状態でコネクタ嵌挿部が後退され、この後退によりコネクタハウジングがリテーナ部に対して相対的に前進され、この前進によりリテーナ部の後面の係止部がリテーナ嵌合部の内側の被係止部に係止されるので、適切にリテーナ部の後面の係止部をリテーナ嵌合部の内側の被係止部に係止できる。
【００１５】
また第２押圧部によりリテーナ部の上面が押圧されてリテーナ部がリテーナ嵌合部内に押し込まれるので、確実にリテーナ部をリテーナ嵌合部内に押し込めることができ、半閉まり不良を防止できる。
【００１６】
請求項２に記載の発明によれば、共通支持部上に、第２押圧部が固設されると共に、第２押圧部よりも突出する様に第１押圧部が弾性部材を介して配設されるので、共通支持部をコネクタハウジング側に可動させるだけで（即ち１つの動作で）、ロック潰れ不良を防止してリテーナ部をリテーナ嵌合部内に押し込むことができる。
【００１７】
請求項３に記載の発明によれば、第１押圧部および第２押圧部がコネクタハウジングの両側面側に配置されるので、コネクタハウジングの両側面にリテーナ部が形成されている場合に、それらの両方のリテーナ部を一度にリテーナ嵌合部に係止嵌合できる。
【発明を実施するための最良の形態】
【００１８】
＜実施の形態＞
この実施の形態に係るリテーナ嵌合装置は、コネクタハウジングの側面（ここでは両側面）にヒンジ式のリテーナ部およびリテーナ嵌合部が形成されたコネクタに対し、前記リテーナ部を前記リテーナ嵌合部に係止嵌合させるものである。
【００１９】
このリテーナ嵌合装置１は、図１の様に、コネクタ３が嵌挿されるコネクタ嵌挿部５と、コネクタ嵌挿部５に嵌挿されたコネクタ３のリテーナ部３ｃをコネクタ３のリテーナ嵌合部３ｄ内に押し込む押圧部７と、コネクタ嵌挿部５を嵌挿方向に沿って進退自在に可動させる第１駆動部（不図示）と、押圧部７をコネクタ３の側面側からコネクタ側に進退自在に可動させる第２駆動部（不図示）とを備える。
【００２０】
この装置１に適されるコネクタ３は、図２および図３の様に、例えば略直方体状のコネクタハウジング３ａを有し、その内部に、端子金具（不図示）が挿入配置される端子挿入孔３ｂ（図３）が複数形成されている。
【００２１】
そしてコネクタハウジング３ａの両側面にそれぞれ、可撓性のヒンジ部３ｅを介したリテーナ部３ｃおよびリテーナ嵌合部３ｄが形成されている。
【００２２】
各リテーナ嵌合部３ｄはそれぞれ、図３の様に、対応するリテーナ部３ｃのヒンジ軸Ｑ（以後、ヒンジ軸Ｑと呼ぶ）の後側に形成されており、端子挿入孔３ｂに連通した開口部（以後、場合に応じて開口部３ｄと呼ぶ）として構成されている。
【００２３】
リテーナ部３ｃは、ヒンジ部３ｅを介して前後（前方外側および後方内向き）に回動可能となっており、後方に回動されてリテーナ嵌合部３ｄ内に嵌合されることで、その下部３ｆが端子挿入孔３ｂ内に突出して端子挿入孔３ｂに挿入配置された端子金具（不図示）に係合し、この係合により端子金具を固定する様になっている。
【００２４】
またリテーナ部３ｃの後面３ｇの所定箇所（例えば内側の縁部）には、例えば突起状の係止部３ｈが設けられており、他方、リテーナ嵌合部３ｄの内側には、リテーナ部３ｃの係止部３ｈが係止する被係止部（ここでは開口部３ｄの裏側周縁）３ｉが設けられている。
【００２５】
尚、このコネクタ３では、コネクタハウジング３ａとリテーナ部３ｃとは樹脂により一体的に形成されており、形成時には、例えば図２の様に、リテーナ部３ｃが前方に開いた状態になっている。
【００２６】
またこのコネクタ３は、例えば雄型コネクタとして構成されており、コネクタハウジング３ａの外周面に相手側の雌型コネクタが外嵌合する様になっている。
【００２７】
コネクタ嵌合装置１のコネクタ嵌挿部５は、図１の様に、コネクタ３のコネクタハウジング３ａが着脱自在に嵌挿可能な嵌挿凹部５ａを有している。そして、嵌挿凹部５ａ内には、コネクタハウジング３ａが所定の位置まで嵌挿されると、コネクタハウジング３ａの前端が当接して、それ以上奥に嵌挿することを防止するためのストッパ部５ｂが形成されている。またこのコネクタ嵌挿部５は、嵌挿方向Ｒに沿って進退可能に配置されており、上記の第１駆動部により進退される様になっている。
【００２８】
押圧部７は、コネクタ嵌挿部５に嵌挿されたコネクタ３の両側面側においてコネクタ側に可動（進退）可能に配置されており、上記の第２駆動部によりコネクタ側に可動される様になっている。各押圧部７はそれぞれ、共通支持部７ａ上に、例えば略立方体状の第２押圧部７ｂが固設されると共に、第２押圧部７ｂよりも突出する様に例えば略立方体状の第１押圧部７ｃが弾性部材（例えば巻きバネ）７ｄを介して配設されて構成されている。
【００２９】
第１押圧部７ｃは、共通支持部７ａのコネクタ側への可動により、コネクタ３のリテーナ部３ｃの後面３ｇに押し当たってリテーナ部３ｃをヒンジ軸Ｑ側に押し込む働きをする。また第２押圧部７ｂは、共通支持部７ａのコネクタ側への可動により、リテーナ部３ｃを上側から押圧してリテーナ部３ｃをリテーナ嵌合部３ｄ内に押し込む働きをする。
【００３０】
第１押圧部７ｃの角部７ｅは、コネクタ３のリテーナ部３ｃの後面３ｇに押し当たって後面３ｇ上を滑らかに摺動する様に丸みを付けて形成されている。
【００３１】
また、第１押圧部７ｃの横幅（図１の紙面垂直方向の幅、以下同様）は、例えば、リテーナ部３ｃの横幅と同程度またはそれより長い寸法に形成されている。これにより、第１押圧部７ｃがリテーナ部３ｃの後面３ｇに押し当たった際、第１押圧部７ｃがリテーナ部３ｃの後面３ｇの横幅全体に押し当たり、これによりリテーナ部３ｃの横幅方向がコネクタハウジング３ａの横幅方向に揃えられてリテーナ部３ｃとコネクタハウジング３ａとの横幅方向の相対的な位置関係が整えられる。
【００３２】
また第２押圧部７ｂの横幅は、例えば、リテーナ部３ｃの横幅と同程度またはそれより長い寸法に形成されている。これにより、第２押圧部７ｂがリテーナ部３ｃを上側から押圧した際、リテーナ部３ｃの横幅方向がコネクタハウジング３ａの横幅方向に平行に保たれて、リテーナ部３ｃがリテーナ嵌合部３ｄ内に押し込まれる。
【００３３】
次にこのコネクタ嵌合装置１の動作を説明する。
【００３４】
まずコネクタ嵌挿部５の嵌挿口５ｃから嵌挿凹部５ａ内に、コネクタ５のコネクタハウジング３ａを、その前部から、嵌挿凹部５ａ内のストッパ部５ｂに当接するまで嵌挿する（図３）。これにより、嵌挿口５ｃの縁面５ｄによりコネクタ５のリテーナ部３ｃがヒンジ軸Ｑ周りに回動されてリテーナ嵌合部３ｄ上に配置される。この状態では、リテーナ部３ｃの下部３ｆの一部がリテーナ嵌合部３ｄ内に入り込んでおり、またリテーナ部３ｃの後面３ｇが後方外側を向いて傾斜した状態になっている。
【００３５】
そしてこの状態で押圧部７がコネクタ５側に可動（進出）され（図４）、この可動により第１および第２押圧部７ｃ，７ｂがコネクタ側に可動される。そしてまず第１押圧部７ｃの角部７ｅが、リテーナ部３ｃの後面３ｇに押し当たって後面３ｇ上を押し滑ることでリテーナ部３ｃがヒンジ軸Ｑ側（例えば嵌挿方向を基準にコネクタ側に斜め１５度の方向）に（例えば２９Ｎの力で）押し込まれて、リテーナ嵌合部３ｃ内に仮嵌合（完全に嵌合しているとは限らない状態）される。そして第１押圧部７ｃがコネクタハウジング３ａの側面に達する（図５）。
【００３６】
尚、図５では、第１押圧部７ｃによるリテーナ部３ｃの後面３ｇへの押し当たりにより、リテーナ部３ｃがリテーナ嵌合部３ｄ内に完全に嵌合された状態が図示されているが、必ずしも、第１押圧部７ｃによるリテーナ部３ｃの後面３ｇへの押し当たりにより、リテーナ部３ｃがリテーナ嵌合部３ｄ内に完全に嵌合されるとは限らない。
【００３７】
その際（即ち第１押圧部７ｃがリテーナ部３ｃの後面３ｇに押し当たった際）、第１押圧部７ｃによりリテーナ部３ｃとコネクタハウジング３ａとの横幅方向の相対的な位置関係が整えられる。またその際（即ち第１押圧部７ｃによりリテーナ部３ｃがヒンジ軸Ｑ側に押し込まれる際）、弾性部材７ｄの可撓性により、第１押圧部７ｃはリテーナ部３ｃからの反発に応じて適宜角度に傾斜されて、第１押圧部７ｃの前面７ｆの角度とリテーナ部３ｃの後面３ｇの角度とが相対的に近づくことで、第１押圧部７ｃによりリテーナ部３ｃが適切にヒンジ軸Ｑ側に押し込まれる。
【００３８】
また上記の仮嵌合の際、事前に第１押圧部７ｃによりリテーナ部３ｃがヒンジ軸Ｑ側に押し込まれることで、リテーナ部３ｃの後面３ｇとリテーナ嵌合部３ｄとの間に間隔（例えば少なくとも係止部３ｈ突出幅と同程度の間隔）が確保されるので、リテーナ部３ｃの後面３ｇの係止部３ｈがリテーナ嵌合部（開口部）３ｃの外側周縁３ｍ（図４）に引っ掛かることが防止される。
【００３９】
そしてこの状態（図５）で更に押圧部７がコネクタ側に可動されることで、弾性部材７ａが押縮されると共に、第２押圧部７ｂがコネクタ側に更に可動され、この第２押圧部７ｂによりリテーナ部３ｃの上面３ｊが押圧されてリテーナ部３ｃがリテーナ嵌合部３ｄ内に完全に押し込まれる（即ち本嵌合される）（図６）。
【００４０】
尚、上記の仮嵌合でリテーナ部３ｃがリテーナ嵌合部３ｄ内に完全に嵌合されてなければ、この本嵌合で完全に嵌合される。この本嵌合でも、第１押圧部７ｃによりリテーナ部３ｃがヒンジ軸Ｑ側に押し込まれた状態で（即ちリテーナ部３ｃの後面３ｇとリテーナ嵌合部３ｄとの間に間隔が確保された状態で）、第２押圧部７ｂによりリテーナ部３ｃがリテーナ嵌合部３ｄ内に押し込まれるので、リテーナ部３ｃの係止部３ｈがリテーナ嵌合部３ｄの外側縁面３ｍに引っ掛かることが防止される。
【００４１】
そして図７の様に、コネクタ嵌挿部５が嵌挿方向に沿って後退されることで、ヒンジ部３ｅの弾性復帰作用によりコネクタハウジング３ａがリテーナ部３ｃに対して相対的に嵌挿方向に沿って前進され、この前進によりリテーナ部３ｃの後面３ｇの係止部３ｈがリテーナ嵌合部３ｄの内側の被係止部３ｉに係止される。そして押圧部７が元の位置まで後退され（図８）、更にコネクタ嵌挿部５が元の位置まで前進される（図９）。
【００４２】
以上の様に構成されたリテーナ嵌合装置１によれば、第１押圧部７ｃによりリテーナ部３ｃがヒンジ軸Ｑ側に押し込まれるので、リテーナ部３ｃがリテーナ嵌合部３ｄ内に押し込まれる際に、リテーナ部３ｃの後面３ｇとリテーナ嵌合部３ｄとの間に間隔を確保でき、これにより、リテーナ部３ｃの後面３ｇの係止部３ｈがリテーナ嵌合部３ｄの外側周縁に引っ掛けることを防止して、リテーナ部３ｃをリテーナ嵌合部３ｄ内に嵌合できる（即ちロック潰れ不良を防止できる）。
【００４３】
また第２押圧部７ｂによりリテーナ部３ｃがリテーナ嵌合部３ｄ内に押し込まれた状態でコネクタ嵌挿部５が後退され、この後退によりコネクタハウジング３ａがリテーナ部３ｃに対して相対的に前進され、この前進によりリテーナ部３ｃの後面３ｇの係止部３ｈがリテーナ嵌合部３ｄの内側の被係止部３ｉに係止されるので、適切にリテーナ部３ｃの係止部３ｈをリテーナ嵌合部３ｄの被係止部３ｉに係止できる。
【００４４】
また第２押圧部７ｂによりリテーナ部３ｃの上面３ｊが押圧されてリテーナ部３ｃがリテーナ嵌合部３ｄ内に押し込まれるので、確実にリテーナ部３ｃをリテーナ嵌合部３ｄ内に押し込めることができ、半閉まり不良を防止できる。
【００４５】
また共通支持部７ａ上に、第２押圧部７ｂが固設されると共に、第２押圧部７ｂよりも突出する様に第１押圧部７ｃが弾性部材７ｄを介して配設されるので、共通支持部７ａをコネクタ側に可動させるだけで（即ち１つの動作で）、ロック潰れ不良を防止してリテーナ部３ｃをリテーナ嵌合部３ｄ内に押し込むことができる。
【００４６】
また、第１押圧部７ｃおよび第２押圧部７ｂがコネクタ嵌挿部５に嵌挿されたコネクタ３の両側面側に配置されるので、コネクタハウジング３ａの両側面にリテーナ部３ｃが形成されている場合に、それらの両方のリテーナ部３ｃを一度にリテーナ嵌合部３ｄに係止嵌合できる。
【００４７】
＜変形例１＞
上記の実施の形態において、更に、コネクタ嵌挿部５の奥に例えば押しボタン式のスイッチを配置し、コネクタ３がコネクタ嵌挿部５の奥まで嵌挿されると、コネクタ３によりそのスイッチがオンにされ、このオンにより押圧部７の上記の動作およびコネクタ嵌挿部５の上記の動作が自動的に連続的に実行される様にしてもよい。この様にすれば、コネクタハウジング３ａをコネクタ嵌挿部５内に嵌挿するだけで、自動的にコネクタ３のリテーナ部３ｃをリテーナ嵌合部３ｄ内に係止嵌合することができ、コネクタ１個当たりに要する係止嵌合作業の時間をより短縮できる。
【００４８】
＜変形例２＞
また上記の実施の形態において、更に、コネクタ嵌挿部５の嵌合凹部５ａの横幅方向の両側の内側面上に、嵌合凹部５ａの横幅を規定する部材を、コネクタ３の横幅に応じて自在に装着できる様にしてもよい。この様にすれば、１つの装置１で、横幅の異なる複数のコネクタ３に対応できる。
【００４９】
また、コネクタ嵌挿部５の嵌合凹部５ａの下側（または上側）の内側面上に、嵌合凹部５ａの下側（または上側）の内側面の形状を規定する部材を、コネクタ３の下面形状（または上面形状）に応じて自在に装着できる様にしてもよい。この様にすれば、１つの装置１で、下面形状（または上面形状）の異なる複数のコネクタ３に対応できる。
【図面の簡単な説明】
【００５０】
【図１】本発明の実施の形態に係るリテーナ嵌合装置１の構成概略図およびコネクタ３の断面図である。
【図２】図１のコネクタ３の側面図である。
【図３】図１のコネクタ嵌挿部５にコネクタ３が嵌挿された状態を示した図である。
【図４】第１押圧部７ｃによりリテーナ部３ｃがヒンジ軸Ｑ側に押し込まれる状態を示した図である。
【図５】第１押圧部７ｃがコネクタハウジング３ａの側面に達した状態を示した図である。
【図６】第２押圧部７ｂによりリテーナ部３ｃがリテーナ嵌合部３ｄ内に押し込まれる状態を示した図である。
【図７】コネクタ嵌挿部５が後退する状態を示した図である。
【図８】押圧部７が元の位置に後退する状態を示した図である。
【図９】コネクタ嵌挿部５が元の位置まで前進される状態を示した図である。
【図１０】親指Ｐでリテーナ部３ｃを前傾に維持した状態を示した図である。
【図１１】親指Ｐでリテーナ部３ｃを前傾方向に押し込んだ状態を示した図である。
【図１２】親指Ｐでリテーナ部３ｃをリテーナ嵌合部３ｄ内に押し込んだ状態を示した図である。
【符号の説明】
【００５１】
１  リテーナ嵌合装置
３  コネクタ
３ａ  コネクタハウジング
３ｃ  リテーナ部
３ｄ  リテーナ嵌合部
３ｅ  ヒンジ部
３ｇ  後面
３ｈ  係止部
３ｉ  被係止部
５  コネクタ嵌挿部
５ａ  嵌挿凹部
５ｂ  ストッパ部
７  押圧部
７ａ  共通支持部
７ｂ  第２押圧部
７ｃ  第１押圧部
７ｄ  弾性部材
７ｅ  角部
【図１】
2008166012.tif 000003
【図２】
2008166012.tif 000004
【図３】
2008166012.tif 000005
【図４】
2008166012.tif 000006
【図５】
2008166012.tif 000007
【図６】
2008166012.tif 000008
【図７】
2008166012.tif 000009
【図８】
2008166012.tif 000010
【図９】
2008166012.tif 000011
【図１０】
2008166012.tif 000012
【図１１】
2008166012.tif 000013
【図１２】
2008166012.tif 000014